(57)【特許請求の範囲】
【請求項１】
記録媒体と、
上記記録媒体に、少なくとも所定の日付データと、該日付データに関連付けられる音声データを含む音声ファイルを記録する記録制御手段と、
日付情報を変更する日付情報変更操作手段と、
上記日付情報変更操作手段の操作に応じて、該日付情報を昇順または降順で更新すると共に、該更新された日付情報に対応する日付データを含む音声ファイルの有無を判定する検索手段と、
上記検索手段の検索結果により、上記日付情報変更操作手段の操作に応じて変更された日付情報に対応する日付データを含む音声ファイルが存在する場合に、その旨を通知する通知手段と、
上記日付情報変更操作手段の操作に応じて変更された日付情報に対応する日付データを含む音声ファイルに係る音声データを再生する再生手段と、
を具備し、
上記日付情報変更操作手段は、第１の操作状態と上記検索手段との関係において該第１の操作状態とは異なる第２の操作状態とを選択的に設定可能とし、
上記検索手段が上記日付情報変更操作手段の操作に応じて上記第１の操作状態下にある場合は日付情報の更新は１日分のみ行われ、上記第２の操作状態下にある場合は同日付情報の更新は該日付情報に対応する日付データを含む音声ファイルが検索されるまで行われることを特徴とする記録再生装置。
【請求項２】
記録媒体と、
上記記録媒体に、少なくとも所定の日付データと、該日付データに関連付けられる音声データを含む音声ファイルを記録する記録制御手段と、
日付情報を変更する日付情報変更操作手段と
上記日付情報変更操作手段の操作に応じて、該日付情報を昇順または降順で更新すると共に、該更新された日付情報に対応する日付データを含む音声ファイルの有無を判定する検索手段と、
上記検索手段の検索結果により、上記日付情報変更操作手段の操作に応じて変更された日付情報に対応する日付データを含む音声ファイルが存在する場合に、存在する音声ファイルの数を通知する通知手段と、
上記日付情報変更操作手段の操作に応じて変更された日付情報に対応する日付データを含む音声ファイルに係る音声データを再生する再生手段と、
を具備し、
上記日付情報変更操作手段は、第１の操作状態と上記検索手段との関係において該第１の操作状態とは異なる第２の操作状態とを選択的に設定可能とし、
上記検索手段が上記日付情報変更操作手段の操作に応じて上記第１の操作状態下にある場合は日付情報の更新は１日分のみ行われ、上記第２の操作状態下にある場合は同日付情報の更新は該日付情報に対応する日付データを含む音声ファイルが検索されるまで行われることを特徴とする記録再生装置。
【請求項３】
上記通知手段は、視覚的に通知する表示装置であることを特徴とする請求項１または２に記載の記録再生装置。
【請求項４】
上記通知手段は、聴覚的に通知する発音装置であることを特徴とする請求項１または２に記載の記録再生装置。
【発明の詳細な説明】
【０００１】
【発明の属する技術分野】
本発明は、記録再生装置、詳しくは、音響情報をデジタル処理して記録媒体に記録する記録再生装置に関する。
【０００２】
【従来の技術】
従来、マイクロホン等によって得られた音声信号をデジタル信号に変換して、例えば半導体メモリに記録しておき、再生時において、該半導体メモリからこの音声信号を読み出してアナログ信号に変換し、スピーカ等により音声として出力する、いわゆるデジタルレコーダと呼ばれているデジタル情報記録再生装置が開発されている。また、特開昭６３−２５９７００号公報には、上述したようなデジタル情報記録再生装置が開示されている。
【０００３】
一方、近年、音声によるスケジュール管理機能を備える音声記録再生装置が提案されるに至っている。たとえば、特開平６−３３６０９４号公報には、カレンダーを表示する表示部を備え、この表示されたカレンダー上の任意の日にスケジュールを記録し、再生する録音機能を備えるカレンダー装置が開示されている。
【０００４】
【発明が解決しようとする課題】
しかしながら、上記特開平６−３３６０９４号公報に開示された記録再生装置は、表示部一面にカレンダーを表示する都合上、該表示部に割くスペースを多く必要とし、これにより装置自体の大型化を招き携帯装置として使用するには不向きなものとなっている。
【０００５】
また表示部にはカレンダーのみが表示され、このままでは、どの日にスケジュール記録としてのデータ（用件）が入っているのか、また、用件があるとすればそれは何件あるのかを容易に知ることは困難なものとなっている。
【０００６】
一方、近年、スケジュール管理機能を備える携帯性記録装置は嘱望されるところにあるが、小型化が進むこの種の記録装置は、表示部もまた小型化を余儀なくされている。
【０００７】
本発明はかかる事情に鑑みてなされたものであり、装置を大型化することなく、記録されたスケジュール的用件を素早く知ることができる記録再生装置を提供することを目的とする。
【０００８】
【課題を解決するための手段】
上記の目的を達成するために本発明の第１の記録再生装置は、記録媒体と、上記記録媒体に、少なくとも所定の日付データと、該日付データに関連付けられる音声データを含む音声ファイルを記録する記録制御手段と、日付情報を変更する日付情報変更操作手段と、上記日付情報変更操作手段の操作に応じて、該日付情報を昇順または降順で更新すると共に、該更新された日付情報に対応する日付データを含む音声ファイルの有無を判定する検索手段と、上記検索手段の検索結果により、上記日付情報変更操作手段の操作に応じて変更された日付情報に対応する日付データを含む音声ファイルが存在する場合に、その旨を通知する通知手段と、上記日付情報変更操作手段の操作に応じて変更された日付情報に対応する日付データを含む音声ファイルに係る音声データを再生する再生手段と、を具備し、上記日付情報変更操作手段は、第１の操作状態と上記検索手段との関係において該第１の操作状態とは異なる第２の操作状態とを選択的に設定可能とし、上記検索手段が上記日付情報変更操作手段の操作に応じて上記第１の操作状態下にある場合は日付情報の更新は１日分のみ行われ、上記第２の操作状態下にある場合は同日付情報の更新は該日付情報に対応する日付データを含む音声ファイルが検索されるまで行われることを特徴とする。
【０００９】
上記の目的を達成するために本発明の第２の記録再生装置は、記録媒体と、上記記録媒体に、少なくとも所定の日付データと、該日付データに関連付けられる音声データを含む音声ファイルを記録する記録制御手段と、日付情報を変更する日付情報変更操作手段と、上記日付情報変更操作手段の操作に応じて、該日付情報を昇順または降順で更新すると共に、該更新された日付情報に対応する日付データを含む音声ファイルの有無を判定する検索手段と、上記検索手段の検索結果により、上記日付情報変更操作手段の操作に応じて変更された日付情報に対応する日付データを含む音声ファイルが存在する場合に、存在する音声ファイルの数を通知する通知手段と、上記日付情報変更操作手段の操作に応じて変更された日付情報に対応する日付データを含む音声ファイルに係る音声データを再生する再生手段と、を具備し、上記日付情報変更操作手段は、第１の操作状態と上記検索手段との関係において該第１の操作状態とは異なる第２の操作状態とを選択的に設定可能とし、上記検索手段が上記日付情報変更操作手段の操作に応じて上記第１の操作状態下にある場合は日付情報の更新は１日分のみ行われ、上記第２の操作状態下にある場合は同日付情報の更新は該日付情報に対応する日付データを含む音声ファイルが検索されるまで行われることを特徴とする。
【００１１】
上記の目的を達成するために本発明の第３の記録再生装置は、上記第１または第２の記録再生装置において、上記通知手段は、視覚的に通知する表示装置である。
【００１２】
上記の目的を達成するために本発明の第４の記録再生装置は、上記第１または第２の記録再生装置において、上記通知手段は、聴覚的に通知する発音装置であることを特徴とする。
【００１３】
【発明の実施の形態】
以下、図面を参照して本発明の実施の形態を説明する。
【００１４】
図１は、本発明の一実施形態である音声記録再生装置の構成を示したブロック回路図である。
【００１５】
本実施形態の音声記録再生装置は、音声を電気信号に変換するマイクロホン１を具備し、該マイクロホン１からの音声出力は接続されたマイクアンプ（ＡＭＰ）２によって増幅されるようになっている。このマイクアンプ２の出力はローパスフィルタ（ＬＰＦ）３を介してＡ／Ｄ変換器（Ａ／Ｄ）４に入力されるようになっており、マイクアンプ２で増幅されたアナログの音声信号は、ローパスフィルタ３でエリアシングノイズの発生を防止するため不要な周波数帯域をカットされ該Ａ／Ｄ変換器（Ａ／Ｄ）４に入力される。
【００１６】
上記Ａ／Ｄ変換器４においてアナログ信号である音声信号はデジタル信号に変換された後、デジタル信号処理部（ＤＳＰ）５に入力されるようになっている。
【００１７】
また、上記デジタル信号処理部５には、該デジタル信号処理部５の動作を制御する、図示しない制御回路が接続されているとともに、符号化されたデータを一時的に記憶するデータＩ／Ｏバッファが接続されている。なお、上記制御回路は後述するシステム制御部６に接続され、制御されるようになっている。
【００１８】
上記デジタル信号処理部５は、録音時には、システム制御部６に制御されて上記Ａ／Ｄ変換器４でデジタル信号に変換された音声信号をフレーム単位で一定のフォーマットのデータに圧縮変換（符号化）し、符号化されたデータは一時的に上記データＩ／Ｏバッファに記録され、この後、システム制御部６に対して伝送されるようになっている。
【００１９】
一方、再生時には、上記デジタル信号処理部５は、システム制御部６に制御されて該システム制御部６からのデータをフレーム単位で伸長変換（復号化）する処理を行い、復号化されたデジタル信号は、Ｄ／Ａ変換器（Ｄ／Ａ）１１に対して出力するようになっている。
【００２０】
上記Ｄ／Ａ変換器１１でアナログ信号に変換された音声信号は、不要な周波数帯域をカットして量子化雑音を軽減するローパスフィルタ（ＬＰＦ）１２を介して、該音声信号を増幅してスピーカを駆動するパワーアンプ（ＡＭＰ）１３に入力されるようになっている。また、該パワーアンプ１３で増幅された音声信号は音声に変換して放音するスピーカ１４より発音されるようになっている。
【００２１】
また、システム制御部６には、ＬＥＤ１０が接続されている。このＬＥＤ１０は、当該音声記録再生装置における種々のサインを使用者に提示する役目を果たし、その点灯、点滅はシステム制御部６により直接制御されるようになっている。
【００２２】
上記システム制御部６は、マイクロプロセッサ（ＣＰＵ）で構成され、当該音声記録再生装置の各部の動作を制御する制御手段としての役目を果たすと共に、後述する記録媒体（メモリカード）７に、少なくとも所定の日付データと、該日付データに関連付けられる音声データを含む音声ファイルを記録する記録制御手段として、操作部１５の操作に応じて、該日付情報を昇順または降順で更新すると共に、該更新された日付情報に対応する日付データを含む音声ファイルの有無あるいは音声ファイルの数の判定を行う検索手段としての役目も果たす。
【００２３】
このシステム制御部６には、例えばフラッシュメモリカード等の記録媒体７がメモリカード制御部等を介して接続される。このフラッシュメモリカード７は、当該音声記録再生装置に着脱自在であって、所定の音声データおよび該音声データに関するインデックス情報が各々記録される音声データ領域およびインデックス情報領域を有する記録媒体である。
【００２４】
また、フラッシュメモリカード７には、メモリの種別（読み出し専用カードであるか否か等）を設定するスイッチ、書き込み防止とするか否かを設定するスイッチが各々設けられている。これらのスイッチの状態は該フラッシュメモリカードが当該音声記録再生装置に装着された際に、メモリカード制御部を介してシステム制御部６で検出するようになっている。
【００２５】
さらに、システム制御部６には、図示しないアドレス制御回路が接続されており、操作部１５の操作に応じて、該アドレス制御回路に適当なアドレス信号を与え、上記デジタル信号処理部５から供給された音声データのほか、録音日時、インデックス情報等を所定のフォーマットに基づいて上記フラッシュメモリカード７に記録、あるいは該フラッシュメモリカード７に記録されているデータを読み出して上記デジタル信号処理部５に供給するようになっている。
【００２６】
また、システム制御部６には、当該音声記録再生装置に係る各種情報を表示するＬＣＤ表示器９が駆動回路８を介して接続されている。このＬＣＤ表示器９は、各種動作モードに係る情報、日付情報、日付に関連づけられた音声ファイルの有無もしくはファイル数を表示する。
【００２７】
さらに、上述したように上記システム制御部６には操作部１５が接続されており、該操作部１５は、各種操作ボタン、すなわち、録音ボタンＲＥＣ、再生ボタンＰＬＡＹ、停止ボタンＳＴＯＰ、早送りボタンＦＦ、早戻しボタンＲＥＷ、フォルダを選択するフォルダ選択ボタンＦＯＬＤＥＲ等を備えている。
【００２８】
これら操作ボタンのうち、上記早送りボタンＦＦ、早戻しボタンＲＥＷは、通常の早送り操作、早戻し操作用のスイッチとしての役目を果たすと共に、日付情報を変更する日付情報変更操作手段としての役目を果たす。
【００２９】
ここで日付情報とは、システム制御部６が後述する日付検索等を実行する際に演算上用いる日付データである。そして、視覚的には上記早送りボタンＦＦあるいは早戻しボタンＲＥＷが日付情報変更操作手段として機能する際に、これらスイッチの操作に応じて上記ＬＣＤ表示器９に実際の日付として表示される。すなわち、上記早送りボタンＦＦあるいは早戻しボタンＲＥＷの操作に応じて、システム制御部６においては該日付情報を昇順または降順で更新すると共に、該更新された日付情報に対応する日付データを含む音声ファイルの有無等を判定し、同時にＬＣＤ表示器９に対しては更新された日付情報が実際の日付として表示される。
【００３０】
上記早送りボタンＦＦあるいは早戻しボタンＲＥＷは、そのオン動作、すなわち押圧動作の際、連続して押圧する時間の違いによって当該音声記録再生装置を２種の操作状態に置くようになっている。具体的には連続押圧時間が２秒以上であるか否かにより選択されるようになっている。
【００３１】
特に日付情報変更操作手段としての役目を果たす場合、すなわち、スケジュール専用フォルダが選択されている場合、当該操作ボタンの連続押圧時間が２秒未満であるとき（第１の操作状態：日付ＳＫＩＰモードとする）は、１回の押圧動作毎に上記システム制御部６の制御による日付情報の更新は１日分づづ行なわれる。また、連続押圧時間が２秒以上であるとき（第２の操作状態：日付連続検索ＳＫＩＰモードとする）は、日付情報に対応する日付データを含む音声ファイルが検索されるまで日付情報の更新が行われる。
【００３２】
その他システム制御部６は、上記操作部１５における各操作ボタンの操作に応じて、デジタル信号処理部５のほかメモリカード７の動作を制御する。すなわち録音ボタンの操作により音声信号を記録する際にはデジタル信号処理部５から供給された音声データを所定のフォーマットに基づいてメモリカード７へ供給して記録する。あるいは、再生ボタンの操作により所定の音声を再生する際には、システム制御部６は、フラッシュメモリカード７に記録されているデータを受け取りデジタル信号処理部５に供給する。
【００３３】
次に、本実施形態の音声記録再生装置に係る動作を図２ないし図６を参照して説明する。
【００３４】
図２は、本実施形態の音声記録再生装置における主要処理動作を示したフローチャートである。
【００３５】
当該音声記録再生装置に電源が供給されると、システム制御部６は図２に示すように、まず、所定の初期設定を行う（ステップＳ１）、この後、システム制御部６は、上記操作部１５におけるフォルダ選択ボタンＦＯＬＤＥＲがオンされたか否かを判定する（ステップＳ２）。ここで、該フォルダ選択ボタンＦＯＬＤＥＲがオンされた場合、サブルーチン“ＦＯＬＤＥＲ変更”を実行する（ステップＳ７）。
【００３６】
このサブルーチン“ＦＯＬＤＥＲ変更”がコールされると、システム制御部６は、音声データファイルの集合体である各フォルダを選択的に変更する処理を行う。
【００３７】
ここで、本実施形態の音声記録再生装置において設定される“フォルダ”について簡単に説明する。
【００３８】
一般にコンピュータ等で用いられるＯＳ（Ｏｐｅｒａｔｉｏｎ  Ｓｙｓｔｅｍ）の分野においては、いわゆるＦＡＴ（Ｆｉｌｅ  Ａｌｌｏｃａｔｉｏｎ  Ｔａｂｌｅ）領域に書かれている情報に基づいて所定のデータ群を１ファイルとして管理している。さらにマイクロソフト社による“Ｗｉｎｄｏｗｓ”、“ＭＳ−ＤＯＳ”あるいはサンマイクロシステムズ社等の“ＵＮＩＸ”等においては、ツリー構造の下に、何らかの関係を有する１群のファイルを“フォルダ”あるいは“ディレクトリ”と称する集合体として扱い、使用者等の便宜に供している。
【００３９】
また、近年、デジタル情報記録再生装置の分野においても、使用者の便宜を図るため記録した音声データ等のデータのうち、互いに関連するデータを１つの集合体として扱い、これらを“ファイル”あるいは“フォルダ”と称して処理する技術が知られている。例えば、記録した音声データを関連する情報、例えば記録した日付情報等によりさらに大きな集合体（本実施形態においては、“フォルダ”と称する集合体）に区分けして処理する技術が提案されている。そして、このような関連するデータ集合体としての“ファイル”あるいは“フォルダ”を適宜選択的に切り換えてデータ等を記録、再生することで、関連する音声データを的確に纏めて処理することを可能としている。
【００４０】
本実施形態の音声記録再生装置においても、上記フォルダ選択ボタンＦＯＬＤＥＲを操作することで、１用件の音声データ（本実施形態では、これを“ファイル”と称する）の集合体であるフォルダを適宜選択するモードに入るようになっている。なお、本実施形態においては、設定されるフォルダの数は３つとし、うち二つは使用者が任意に選択するファイル管理用フォルダ（Ａフォルダ、Ｂフォルダ）とし、他の一は、スケジュール管理用の専用フォルダ（Ｓフォルダ）とする。
【００４１】
システム制御部６は、上記ステップＳ２においてフォルダ選択ボタンＦＯＬＤＥＲの操作によりフォルダ変更モードが選択されたと判断すると、まず、現在のフォルダを判別し、さらにそのフォルダを循環的に次のフォルダに変更する。すなわち、１回の操作毎にＡフォルダ→Ｂフォルダ→Ｓフォルダ→Ａフォルダの順に変更する。そして、この変更後、メインルーチンにリターンする。
【００４２】
図２のフローチャートに戻って、上記ステップＳ２においてフォルダ選択ボタンＦＯＬＤＥＲの押圧がなければ、システム制御部６は次いで録音ボタンＲＥＣの状態を判定する（ステップＳ３）。ここで、該スイッチ（録音ボタンＲＥＣ）がオンされるとサブルーチン“ＲＥＣ  ＭＯＤＥ”を実行する（ステップＳ８）。
【００４３】
このステップＳ８においては、この種の音声記録再生装置において通常用いられる手法で音声を録音するが、このとき、録音される１用件の音声データは１音声ファイルとしてそのとき選択されているフォルダに格納される。そして、使用者は、スケジュール管理用の用件として録音を行う場合、予め３つのフォルダのうちＳフォルダを選択しておいて所定の用件を録音する。これにより、当該音声ファイルはＳフォルダに格納される。
【００４４】
また、上記ステップＳ３において録音ボタンＲＥＣがオンされていなければシステム制御部６は、次に再生ボタンＰＬＡＹの状態を判定する（ステップＳ４）。ここで、該スイッチ（再生ボタンＰＬＡＹ）がオンされるとサブルーチン“ＰＬＡＹ  ＭＯＤＥ”を実行する（ステップＳ９）。このステップＳ９においては、この種の音声記録再生装置において通常用いられる手法で音声を再生するが、ここでは詳しい説明は省略する。
【００４５】
また、上記ステップＳ４において再生ボタンＰＬＡＹがオンされていなければシステム制御部６は、次に早送りボタンＦＦの状態を判定する（ステップＳ５）。ここで、該スイッチがオンされているとき、システム制御部６はこのスイッチが連続して２秒以上押圧されたか否かを判定する（ステップＳ１０）。ここで、連続押圧時間が２秒未満であるときは、次いで現在選択されているフォルダがＳフォルダであるか否かを判定する（ステップＳ１１）。そして、Ｓフォルダでないときは通常のＡフォルダあるいはＢフォルダが選択されていることになるので、システム制御部６は、１回の押圧動作毎に通常の早送り動作（ＳＫＩＰモード）を実行する（ステップＳ１２）。
【００４６】
一方、上記ステップＳ１１においてＳフォルダが選択されている場合は第１の操作状態：日付ＳＫＩＰモードであるとして、サブルーチン“日付ＦＳＫＩＰモード”を実行する（ステップＳ１３）。
【００４７】
ここで、サブルーチン“日付ＦＳＫＩＰモード”を図３に示すフローチャートを参照して説明する。
【００４８】
システム制御部６は、まず早送りボタンＦＦの１回の押圧毎に日付情報をインクリメントする（ステップＳ３１）。そして、更新された日付情報をＬＣＤ表示器９に表示する（ステップＳ３２）。次いでシステム制御部６は、この日付情報に対応する日付データを含む音声ファイルを調べ（ステップＳ３３）、該当する音声ファイルがあれば（ステップＳ３４）、該当する音声ファイルの数をＬＣＤ表示器９に表示して（ステップＳ３５）、メインルーチンにリターンする。
【００４９】
一方、上記ステップＳ３４において、該当する音声ファイルがなければファイルが無いことをＬＣＤ表示器９に表示して（ステップＳ３６）、メインルーチンにリターンする。
【００５０】
また、上記ステップＳ１０において早送りボタンＦＦの連続押圧時間が２秒以上であるときも、次いで現在選択されているフォルダがＳフォルダであるか否かを判定する（ステップＳ１４）。そして、Ｓフォルダでないときは通常のＡフォルダあるいはＢフォルダが選択されていることになるので、システム制御部６は、通常の連続早送り動作（連続ＳＫＩＰモード）を実行する（ステップＳ１５）。
【００５１】
一方、上記ステップＳ１４においてＳフォルダが選択されている場合は第２の操作状態：日付連続ＦＳＫＩＰモードであるとして、サブルーチン“日付連続ＦＳＫＩＰモード”を実行する（ステップＳ１６）。
【００５２】
ここで、サブルーチン“日付連続ＦＳＫＩＰモード”を図４に示すフローチャートを参照して説明する。
【００５３】
システム制御部６は、まず日付情報をインクリメントし（ステップＳ４１）、更新された日付情報に対応する日付データを含む音声ファイルを調べ（ステップＳ４２）、該当する音声ファイルがあれば（ステップＳ４３）、検索動作を停止して（ステップＳ４４）、この該当する音声ファイルの数をＬＣＤ表示器９に表示して（ステップＳ４５）、メインルーチンにリターンする。
【００５４】
一方、上記ステップＳ４３において、該当する音声ファイルがなければ再度早送りボタンＦＦの状態を検出し（ステップＳ４６）、依然オンしていれば（ステップＳ４７）、上記ステップＳ４１に戻ってさらに日付情報をインクリメントして該当する音声ファイルの検索を続ける。
【００５５】
また、上記ステップＳ４６において早送りボタンＦＦがオンしていなければ、メインルーチンにリターンする。
【００５６】
図２に示すフローチャート（メインルーチン）に戻って、ステップＳ５において早送りボタンＦＦがオンしていなければ、システム制御部６は、次いで早戻しボタンＲＥＷの状態を判定する（ステップＳ６）。ここで、該スイッチがオンされているとき、システム制御部６は上記同様、このスイッチが連続して２秒以上押圧されたか否かを判定する（ステップＳ１７）。ここで、連続押圧時間が２秒未満であるときは、次いで現在選択されているフォルダがＳフォルダであるか否かを判定する（ステップＳ１８）。そして、Ｓフォルダでないときは通常のＡフォルダあるいはＢフォルダが選択されていることになるので、システム制御部６は、１回の押圧動作毎に通常の早戻し動作（ＳＫＩＰモード）を実行する（ステップＳ１９）。
【００５７】
一方、上記ステップＳ１８においてＳフォルダが選択されている場合は第１の操作状態：日付ＳＫＩＰモードであるとして、サブルーチン“日付ＲＳＫＩＰモード”を実行する（ステップＳ２０）。
【００５８】
ここで、サブルーチン“日付ＲＳＫＩＰモード”を図５に示すフローチャートを参照して説明する。
【００５９】
システム制御部６は、まず早戻しボタンＲＥＷの１回の押圧毎に日付情報をデクリメントする（ステップＳ５１）。
【００６０】
以下、上記早送りボタンＦＦのオン時と同様に、システム制御部６は、更新された日付情報をＬＣＤ表示器９に表示し、日付情報に対応する日付データを含む音声ファイルを調べ、該当する音声ファイルがあれば該当する音声ファイルの数をＬＣＤ表示器９に表示してメインルーチンにリターンする（ステップＳ５２、Ｓ５３、Ｓ５４、Ｓ５５）。一方、該当する音声ファイルがなければ、ファイルが無いことをＬＣＤ表示器９に表示し（ステップＳ５６）、メインルーチンにリターンする。
【００６１】
図２に戻って、上記ステップＳ１７において早戻しボタンＲＥＷの連続押圧時間が２秒以上であるときも、システム制御部６は、現在選択されているフォルダがＳフォルダであるか否かを判定する（ステップＳ２１）。そして、Ｓフォルダでないときは通常のＡフォルダあるいはＢフォルダが選択されていることになるので、システム制御部６は、通常の連続早戻し動作（連続ＳＫＩＰモード）を実行する（ステップＳ２２）。
【００６２】
一方、上記ステップＳ２１においてＳフォルダが選択されている場合は第２の操作状態：日付連続ＲＳＫＩＰモードであるとして、サブルーチン“日付連続検索ＲＳＫＩＰモード”を実行する（ステップＳ２３）。
【００６３】
ここで、サブルーチン“日付連続検索ＲＳＫＩＰモード”を図６に示すフローチャートを参照して説明する。
【００６４】
システム制御部６は、まず日付情報をデクリメントする（ステップＳ６１）。以下、上記同様、更新された日付情報に対応する日付データを含む音声ファイルを調べ、該当する音声ファイルがあれば検索動作を停止して、該当する音声ファイルの数をＬＣＤ表示器９に表示して、メインルーチンにリターンする（ステップＳ６２、Ｓ６３、Ｓ６４、Ｓ６５）。
【００６５】
一方、該当する音声ファイルがなければ再度早戻しボタンＲＥＷの状態を検出し（ステップＳ６６）、依然オンしていれば（ステップＳ６７）、上記ステップＳ６１に戻ってさらに日付情報をデクリメントして該当する音声ファイルの検索を続ける。
【００６６】
また、上記ステップＳ６６において早戻しボタンＲＥＷがオンしていなければ、メインルーチンにリターンする。
【００６７】
図２に戻って、上記ステップＳ６において早戻しボタンＲＥＷがオンしていなければ、再びステップＳ２に戻って各操作ボタンの状態を検出する。
【００６８】
このように本実施形態の音声記録再生装置によると、装置を大型化することなく、記録されたスケジュール的用件を素早く知ることができる。
【００６９】
また、本実施形態においては、上述したようにフォルダ数を３に設定したが、本発明をさらに多いフォルダ数を設定した記録再生装置にも適用できることは明白である。
【００７０】
さらに、本明細書においては、上述の如きデータ集合体を“フォルダ”と称して説明したが、本発明の思想はこれに限らず、従来、“ファイル”あるいはその他の呼称で呼ばれるデータ集合体に適用できることは言うまでもない。
【００７１】
【発明の効果】
以上説明したように本発明によれば、装置を大型化することなく、記録されたスケジュール的用件を素早く知ることができる記録再生装置を提供できる。
【図面の簡単な説明】
【図１】本発明の一実施形態である音声記録再生装置の構成を示したブロック回路図である。
【図２】上記実施形態の音声記録再生装置における主要処理動作を示したフローチャートである。
【図３】上記実施形態の音声記録再生装置におけるサブルーチン“日付ＦＳＫＩＰモード”の処理動作を示したフローチャートである。
【図４】上記実施形態の音声記録再生装置におけるサブルーチン“日付連続検索ＦＳＫＩＰモード”の処理動作を示したフローチャートである。
【図５】上記実施形態の音声記録再生装置におけるサブルーチン“日付ＲＳＫＩＰモード”の処理動作を示したフローチャートである。
【図６】上記実施形態の音声記録再生装置におけるサブルーチン“日付連続検索ＲＳＫＩＰモード”の処理動作を示したフローチャートである。
【符号の説明】
１…マイクロホン
２…マイクアンプ
３…ローパスフィルタ
４…Ａ／Ｄ変換器
５…デジタル信号処理部
６…システム制御部
７…メモリカード（記録媒体）
８…表示器駆動回路
９…ＬＣＤ表示器
１０…ＬＥＤ
１１…Ｄ／Ａ変換器
１３…アンプ
１４…スピーカ
１５…操作部
ＦＦ…早送りボタン
ＲＥＷ…早戻しボタン
ＦＯＬＤＥＲ…フォルダ選択ボタン
【図１】
0004090617.tif 000002
【図２】
0004090617.tif 000003
【図３】
0004090617.tif 000004
【図４】
0004090617.tif 000005
【図５】
0004090617.tif 000006
【図６】
0004090617.tif 000007